(57)【要約】【課題】  アナログ放送終了時点での選局を効果的に行うことで消費電力の節減を可能にしたアナログおよびデジタル放送テレビ受信装置を提供すること。  【解決手段】  電源部、アナログ放送受信部、デジタル放送受信部、および、電源切断手段からなり、アナログ放送が終了になったとき、電源切断手段が、アナログ放送受信部への電源部からの電源供給を切断できるようにしたアナログおよびデジタル放送テレビ受信装置を提供する。また、アナログ放送が終了になったことを判別するアナログ放送終了判別手段を有し、前記電源切断手段は当該アナログ放送終了判別手段の判別に応答してアナログ放送受信部への電源部からの電源供給を切断するようにしたアナログおよびデジタル放送テレビ受信装置を提供する。【選択図】  図２
2008054114.tif 000002
【特許請求の範囲】
【請求項１】
電源部、アナログ放送受信部、デジタル放送受信部、および、電源切断手段からなり、アナログ放送が終了になったとき、電源切断手段が、アナログ放送受信部への電源部からの電源供給を切断できるようにしたアナログおよびデジタル放送テレビ受信装置。
【請求項２】
アナログ放送が終了になったことを判別するアナログ放送終了判別手段を有し、前記電源切断手段は当該アナログ放送終了判別手段の判別に応答してアナログ放送受信部への電源部からの電源供給を切断するようにした請求項1に記載のアナログおよびデジタル放送テレビ受信装置。
【発明の詳細な説明】
【技術分野】
【０００１】
本発明は、アナログおよびデジタル放送テレビ受信装置に関し、特に、アナログ放送終了時点での選局を効果的に行うことで消費電力の節減を可能にしたアナログおよびデジタル放送テレビ受信装置に関する。
【背景技術】
【０００２】
従来のアナログおよびデジタル放送テレビ受信装置においては、受信状況にかかわらず、常に装置全体の回路がすべて動作しているため、放送番組を受信していないときにも多大な電力を消費するという問題があった。例えば視聴者が深夜に電源を投入したまま眠ってしまって、番組が放送されていない時間帯にもかかわらず、受信装置の電源がオンのまま放置され、無駄に電力を消費することがあった。
【０００３】
地上波のアナログ放送を受信するテレビ受信装置においては、テレビ受信装置のチューナ部から出力される映像信号の同期信号の有無を監視して、放送していないチャンネルを視聴者が一定時間選択したままになっていることを当該テレビ受信装置が検出した場合、最低限の動作に必要なブロックにのみ電源を供給するようにし、その他のブロックには電源の供給を停止することによって、無駄な電力消費を節減するようにしたテレビ受信装置が一般的である。
【０００４】
一方、地上波のデジタル放送を受信する従来のテレビ受信装置においては、受信状況にかかわらず、常にすべてのブロックに電源を供給するようにしていたため、受信状態が不良の場合や放送していないチャンネルを視聴者が一定時間選択したままにしている場合などは、当該テレビ受信装置が多大な電力量を消費するという問題があった。特許文献１は、受信状態が悪く、フロントエンドが受信不可能な場合に、フロントエンド以外のブロックへの電源の供給を停止する電源制御手段を備えた地上波のデジタル放送のテレビ受信装置を提供することによって、この問題を克服している。
【０００５】
また、衛星放送を受信するテレビ受信装置においては、アナログ放送とデジタル放送のいずれも、番組の放送が終了しても、衛星からの電波がとぎれることがなく、テスト信号などの電波が送出されることが多いので、従来と同様の方法によっては、番組が放送されているチャンネルと、放送されていないチャンネルとを区別することができず、当該テレビ受信装置が多大な電力量を消費するという問題があった。特許文献２は、衛星放送の番組が放送されているか否かを確実に検出するために、番組放送中に送信される番組関連情報を監視して、放送していないチャンネルを視聴者が一定時間選択したままになっていることを当該テレビ受信装置が検出した場合、最低限の動作に必要なブロックにのみ電源を供給するようにし、その他のブロックには電源の供給を停止することで、無駄な電力消費を節減するようにした衛星放送のテレビ受信装置を提供することによって、この問題を克服している。
【０００６】
以上に示した公知のテレビ受信装置により、地上波および衛星放送の別を問わず、アナログ放送とデジタル放送のいずれについても、受信状態が不良の場合や放送していないチャンネルを視聴者が一定時間選択したままにしている場合などであっても、当該テレビ受信装置による多大な電力量の消費を防止することができるようになった。
【０００７】
【特許文献１】特開２００３−１１０９６３号公報
【特許文献２】特開２００２−０１６８５４号公報
【０００８】
しかしながら、２０１１年７月２４日に予定されている地上波アナログ放送から地上波デジタル放送への制度的な移行を考えるときに、現行の方法による地上波のアナログ放送およびデジタル放送の両放送を受信するテレビ受信装置では、地上波アナログ放送の終了後も、当該地上波アナログ放送の受信動作に最低限必要なブロックには電源を供給するようにしてあるので、地上波アナログ放送の受信回路に一定の電力がなお供給されてしまうことになり、無駄な電力が消費されるという不都合が未解決のまま放置されている。
【発明の開示】
【発明が解決しようとする課題】
【０００９】
そこで、本発明は、アナログ放送終了時点での選局を効果的に行うことで消費電力の節減を可能にしたアナログおよびデジタル放送テレビ受信装置を提供することを目的とする。
【課題を解決するための手段】
【００１０】
本発明のアナログおよびデジタル放送テレビ受信装置は、電源部、アナログ放送受信部、デジタル放送受信部、および、電源切断手段からなり、アナログ放送が終了になったとき、電源切断手段が、アナログ放送受信部への電源部からの電源供給を切断できるようにしたことを特徴とする。
【００１１】
また本発明のアナログおよびデジタル放送テレビ受信装置は、上記のアナログおよびデジタル放送テレビ受信装置において、さらにアナログ放送が終了になったことを判別するアナログ放送終了判別手段を有し、前記電源切断手段は当該アナログ放送終了判別手段の判別に応答してアナログ放送受信部への電源部からの電源供給を切断するようにしたことを特徴とする。
【発明の効果】
【００１２】
本発明により、アナログ放送終了時点での選局を効果的に行うことで消費電力の大きな節減を可能にしたアナログおよびデジタル放送テレビ受信装置を提供することができる。また地上波アナログ放送から地上波デジタル放送への移行後において、アナログ選局の機能を省略し、デジタル選局のみの機能を実行することで、選局処理の大幅なスピードアップを実現し、視聴者にとって操作上の利便性の向上したアナログおよびデジタル放送テレビ受信装置を提供することができる。
【発明を実施するための最良の形態】
【００１３】
本発明による具体的な実施形態を、以下、図を参照して説明する。図１は、本発明の実施例によるアナログおよびデジタル放送テレビ受信装置（以下、単に受信装置という。）の構成を説明するためのブロック図である。図１に示すように、本実施例による受信装置は、デジタル放送を受信するデジタル放送受信部１０と、アナログ放送を受信するアナログ放送受信部２０と、前記デジタル放送受信部１０および前記アナログ放送受信部２０に電源を供給する電源部３０と、前記デジタル放送受信部１０と前記アナログ放送受信部２０と前記電源部３０の動作を制御するマイコンからなるテレビ制御部４０と、メモリ部５０とから構成されている。なお、デジタル放送受信部１０は、希望の周波数を選択するチューナと、受信したデジタル変調信号をデジタル復調する復調機とから構成され、アナログ放送受信部２０は、希望の周波数を選択するチューナと、受信したアナログ変調信号をアナログ復調する復調機とから構成されている。
【００１４】
次に、図１の構成を有する受信装置が、アナログ放送が終了したか否かを判断するときの動作について、図２のフローチャートを参照して説明する。アナログ放送の受信チャンネルのシンク信号の有無を確認することによって、受信装置はアナログ放送が終了したか否かを判断するようになっている。ここでシンク信号とは、受信したアナログ放送を復調してできる映像信号に重畳している同期信号のことをいう。アナログ放送の受信チャンネルのシンク信号の有無を確認する確認時刻は予め設定されており、本実施例では、その確認時刻を１２：００から２１：００までのゼロ分の時刻、すなわち１２：００、１３：００、１４：００、１５：００、１６：００、１７：００、１８：００、１９：００、２０：００、２１：００の計１０回に設定してある。そして、上記の確認時間ごとにアナログ放送の受信チャンネルのシンク信号の有無を検出し、シンク信号が検出されなかった回数の累計が１０回を超えたときに、受信装置はアナログ放送が終了したと判断するように条件を設定している。
【００１５】
先ず、２０１１年７月２４日より以前のアナログ放送がまだ放送されている日の受信装置の動作を、図２のフローチャートに従って説明する。視聴者は当日の午前中から当該受信装置の電源をオフにしており、１３：３０になって電源をオンにして視聴を開始したという前提とする。ステップＳ１０１において、現在時刻を計測する時計回路（図示せず）により現在時刻が上記の確認時刻であるか否かが質問される。現在時刻が１１：３０の場合は、ステップＳ１０１で「いいえ」となり、このフローチャートは終了する。３０分経過して現在時刻が１２：００になると、ステップＳ１０１で「はい」となり、ステップＳ１０２で「アナログ終了フラグはオンかオフか」が質問される。アナログ終了フラグはまだオンに切換わっていないので、「オフ」へ進み、次にステップＳ１０３で「セット電源はオンかオフか」が質問される。視聴者はこの時点では未だ電源をオンにしていないので、「オフ」へ進み、次のステップＳ１０４で、アナログ放送チャンネルのスキャンが実行される。当日はアナログ放送が放送されているため、ステップＳ１０５の「シンク信号の有無」が問われると、「あり」へ進み、このフローチャートは終了する。
【００１６】
次に現在時刻が１３：００になると、図２のフローチャートのステップＳ１０１からステップＳ１０５を、前回の１２：００のときとまったく同じ形で反復し、このフローチャートは終了する。次に現在時刻が１４：００になると、視聴者は１３：３０に電源をオンにして視聴を開始しているので、チャンネルスキャン作業によって視聴が妨害されることを避けるために、ステップＳ１０３で「オン」へ進み、このフローチャートは終了する。以上で明らかなように、地上波アナログ放送が放送されている限りは、視聴者が電源をオンにして放送を視聴している場合、また視聴者が電源をオフにして放送を視聴していない場合、そのいずれの場合であっても、図２のフローチャートのステップＳ１０６には到達せず、当該受信装置は従来の受信状態を維持したままである。
【００１７】
さて次に、２０１１年７月２４日以降のアナログ放送が終了されている日の受信装置の動作を、図２のフローチャートに従って説明する。先の例と同じく、視聴者は当日の午前中から当該受信装置の電源をオフにしており、１３：３０になって電源をオンにして視聴を開始したという前提とする。ステップＳ１０１において、現在時刻を計測する時計回路（図示せず）により現在時刻が上記の確認時刻であるか否かが質問される。現在時刻が１１：３０の場合は、ステップＳ１０１で「いいえ」となり、このフローチャートは終了する。３０分経過して現在時刻が１２：００になると、ステップＳ１０１で「はい」となり、ステップＳ１０２で「アナログ終了フラグはオンかオフか」が質問される。アナログ終了フラグはまだオンに切換わっていないので、「オフ」へ進み、次にステップＳ１０３で「セット電源はオンかオフか」が質問される。視聴者はこの時点では未だ電源をオンにしていないので、「オフ」へ進み、次のステップＳ１０４で、アナログ放送チャンネルのスキャンが実行される。当日はアナログ放送がすでに終了されているので、ステップＳ１０５の「シンク信号の有無」が問われると、「なし」へ進み、ステップＳ１０６で「シンク信号無し」の回数が「履歴メモリ（ｎ）」としてカウントされ、ステップＳ１０７で「ｎ＝ｎ＋１」の演算が行われる。ここでｎは初期値として０の値が設定されており、このステップＳ１０７の演算で、ｎ＝１の値をもつことになる。次のステップＳ１０８で、「ｎは１０より大か」と質問されるので、「いいえ」に進み、このフローチャートは終了する。
【００１８】
次に現在時刻が１３：００になると、図２のフローチャートのステップＳ１０１からステップＳ１０６を、前回の１２：００のときとまったく同じ形で反復し、ステップＳ１０７の演算で、今度はｎ＝２の値をもつことになる。次のステップＳ１０８で、「ｎは１０より大か」と質問されるので、「いいえ」に進み、このフローチャートは終了する。次に現在時刻が１４：００になると、視聴者は１３：３０に電源をオンにして視聴を開始しているので、ステップＳ１０３で「オン」へ進み、このフローチャートは終了する。ｎの値は２のままである。
【００１９】
このように、２０１１年７月２４日以降のアナログ放送が終了されている日については、アナログ放送の受信チャンネルのシンク信号を確認できないので、受信装置は所定の確認時刻ごとに図２のフローチャートのステップＳ１０１からステップＳ１０９を反復することによって、アナログ終了フラグがオフのままである間は、電源がオンの状態のときはｎの値は加算されることがなく、電源がオフの状態のときにのみｎの値が１ずつ加算されていくことになる。ステップＳ１０１からステップＳ１０９の反復により、いずれステップＳ１０７の演算でｎが１１の値をとることになり、ステップＳ１０８で「ｎは１０より大か」と問われたときに、「はい」に進み、ステップＳ１０９で「アナログ終了フラグがオンされた」ことがメモリ部５０に記憶される。
【００２０】
以上で明らかなように、所定の確認時刻、本実施例では１２：００、１３：００、１４：００、１５：００、１６：００、１７：００、１８：００、１９：００、２０：００、２１：００の計１０回の確認時刻において、アナログ放送の受信チャンネルのシンク信号の有無を検出することによって、シンク信号が検出されなかった回数の累計が１０回を超えた場合にアナログ放送が終了したと判断するプログラムがテレビ制御部４０のマイコンに設定されている。本実施例における受信装置において、テレビ制御部４０とメモリ部５０はアナログ放送の終了を判断するようにされており、このテレビ制御部４０とメモリ部５０はアナログ放送終了判別手段の機能を有している。
【００２１】
次に、上記によりアナログ放送が終了したと受信装置が判断した場合の当該受信装置の動作を、図１を参照して説明する。アナログ放送が終了したと受信装置が判断して、「アナログ終了フラグがオンされた」ことがメモリ部５０に記憶されると、テレビ制御部４０は、アナログ放送受信部２０への制御を中止するとともに、アナログ放送受信部２０への電源を供給しないように電源部３０を制御する。本実施例における受信装置において、テレビ制御部４０は、受信装置がアナログ放送の終了を判断したときに、アナログ放送受信部２０への電源を供給しないように電源部３０を制御するようにされており、このテレビ制御部４０は電源切断手段の機能を有している。これにより、アナログ放送終了後においては、受信装置はアナログ放送受信部２０全体への電源供給を一切行うことがないので、大きな節電効果を挙げることができる。
【００２２】
以上の実施例の説明において、図２のフローチャートの実行を、確認時刻により割り込みで開始するようにすることも可能である。また、本実施例の説明においては、設定された各確認時刻において、アナログ放送の受信チャンネルのシンク信号の有無を検出し、シンク信号が検出されなかった回数の累計が１０回を超えた場合にアナログ放送が終了したと判断することを条件として設定したが、アナログ放送が終了したと判断するための条件として、シンク信号が検出されなかった回数の累計を１０回ではなく５回または３回など、適宜変更して予め条件を設定しておいても差し支えない。
【００２３】
また、上記の実施例の説明においては、アナログ放送が終了したと判断する作業を、テレビ制御部４０のマイコンに組込んだプログラムで自動的に行わせるようにしてあるが、図３に示すメニュー画面を利用して視聴者にアナログ放送の終了を喚起させることによって、アナログ放送受信部２０全体への電源供給の中止を視聴者自らが指示するようにすることも可能である。視聴者に指示させることで、省エネへの視聴者の関心を高める効果をもたせることができる。
【００２４】
以上により、アナログ放送が終了したと受信装置が判断すると、テレビ制御部４０は、アナログ放送受信部２０への制御を中止するようになるので、チャンネルメモリやチャンネル選択などの選局に関する機能について、当該受信装置はアナログ放送受信に係わる制御を一切行わず、デジタル放送に係わる制御のみを行うようになる。したがって選局処理の大幅なスピードアップが実現され、視聴者にとって操作上の利便性の向上した受信装置を提供することができる。図４の選局時のチャンネルスキャンのフローチャート、および図５のチャンネルプログラム時のフローチャートに従って、それぞれの場合について、以下、どのようにして操作上の利便性の向上が実現されるかを説明する。
【００２５】
図４は、選局時のチャンネルスキャンのフローチャートである。ステップＳ２０１でチャンネルのアップまたはダウンを実行すると、次のステップＳ２０２で次または前のチャンネルが選局される。ステップＳ２０３で、「アナログ放送が終了しているか？」が問われる。前述の図２のフローチャートのステップＳ１０９で「アナログ終了フラグがオンされた」ことがメモリ部５０に記憶されている場合は「はい」へ進み、ステップＳ２０４で「アナログチャンネルか？」と質問される。アナログチャンネルの場合は「はい」へ進み、ステップＳ２０２に戻る。このように選局時のチャンネルスキャンに際してアナログ放送受信に係わる制御を一切行なうことなく、さらに次または前のチャンネルが選局され、同じステップが反復されていくので、チャンネルスキャンのスピードが大幅に向上し、視聴者にとっての操作上の利便性を高めることができる。図４のフローチャートに示す一連の動作は、テレビ制御部４０のマイコンにより制御されている。
【００２６】
図５は、チャンネルプログラム実行時のフローチャートである。ステップＳ３０１でチャンネルプログラムを実行すると、次のステップＳ３０２で次のチャンネルがスキャンされる。ステップＳ３０３で、「アナログ放送が終了しているか？」が問われる。前述の図２のフローチャートのステップＳ１０９で「アナログ終了フラグがオンされた」ことがメモリ部５０に記憶されている場合は「はい」へ進み、ステップＳ３０４で「アナログチャンネルか？」と質問される。アナログチャンネルの場合は「はい」へ進み、ステップＳ３０２に戻る。このようにチャンネルプログラムの実行に際してアナログ放送受信に係わる制御を一切行なうことなく、さらに次のチャンネルがスキャンされ、同じステップが反復されていくので、チャンネルプログラムを実行するスピードが大幅に向上し、視聴者にとっての操作上の利便性を高めることができる。図５のフローチャートに示す一連の動作は、テレビ制御部４０のマイコンにより制御されている。
【００２７】
以上の実施例により、本発明によるアナログおよびデジタル放送テレビ受信装置がアナログ放送終了時点での選局を効果的に行うことで消費電力の大きな節減を可能にするとともに、地上波アナログ放送から地上波デジタル放送への移行後において、アナログ選局の機能を省略し、デジタル選局のみの機能を実行することで、選局処理の大幅なスピードアップを実現し、視聴者にとって操作上の利便性を向上させることについて説明した。
【００２８】
なお、アナログ放送が終了されるまでは、地上波のアナログ放送とデジタル放送が並行して放送されているので、視聴者は自らの好みに応じて、同一番組について「アナログ放送」あるいは「デジタル放送」のいずれかを選択して視聴することができる。本発明によるアナログおよびデジタル放送テレビ受信装置は、先に詳述した将来的なアナログ放送終了時での対応を展望した形でのアナログ放送とデジタル放送の切換え機能を有している。図６を参照して、このアナログ放送とデジタル放送の切換え機能について、以下に補足して説明を加える。図６（Ａ）は、「アナログ／デジタル設定」の項目を選択肢に含むメニュー画面の例である。アナログ放送がまだ終了しない間は、視聴者が図６（Ａ）のメニュー画面の「アナログ／デジタル設定」の項目を選択すると、図６（Ｂ）に示す「アナログ／デジタル手動切換え」の画面が表示される。「手動切換え」を選択した場合、視聴者は自らの好みに応じて、「デジタル放送のみ」、「アナログ放送のみ」、もしくは「デジタル／アナログ両放送」の３つの放送形態のなかからいずれか１つを随時かつ任意に選択して視聴することができる。一方、「自動切換え」を選択した場合は、アナログ放送がまだ終了しない間は、リモコン等で視聴者が選択した放送形態で番組を視聴することができ、アナログ放送が終了すると、先に図２のフローチャートで説明したアナログ放送の終了の判別とアナログ放送受信部への電源供給の切断を受信装置に自動的に行なわせることができる。
【００２９】
以上、本発明の実施例について詳述したが、本発明は上述の実施例に限定されるものではなく、本発明の要旨の範囲内で種々の変形実施が可能である。
【図面の簡単な説明】
【００３０】
【図１】本発明の実施例による受信装置の構成を説明するためのブロック図である。
【図２】本発明の実施例による受信装置の動作を説明するフローチャートである。
【図３】本発明の実施例を説明するメニュー画面を示す図である。
【図４】本発明の実施例による選局時のチャンネルスキャンを説明するフローチャートである。
【図５】本発明の実施例によるチャンネルプログラムの実行を説明するフローチャートである。
【図６】本発明の実施例を説明するメニュー画面（Ａ）及びアナログ／デジタル手動切り換え画面（Ｂ）をそれぞれ示す図である。
【符号の説明】
【００３１】
１０ デジタル放送受信部
２０ アナログ放送受信部
３０ 電源部
４０ テレビ制御部
５０ メモリ部
【図１】
2008054114.tif 000003
【図２】
2008054114.tif 000004
【図３】
2008054114.tif 000005
【図４】
2008054114.tif 000006
【図５】
2008054114.tif 000007
【図６】
2008054114.tif 000008